【手続補正書】
【提出日】平成18年6月23日(2006.6.23)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  集塵室を構成する壁の一部を同集塵室内方に窪ませた本体下と、本体に電源を供給するコードリールユニットを有し、同コードリールユニットの一部が前記本体下の窪みに挿入されるように配置し、前記コードリールユニットは電源コードと電源コードを巻き取るコードリールと、コードリールを保持するコードリール取付板とで構成され、前記コードリールユニットを本体下に組み込むにあたり、コードリール取付板の先端上部を前記本体下の窪みに合わせた状態で、合わせ部を支点にコードリール取付板を回動させながら本体下に組み込めるように本体下とコードリール取付板の形状を形成した電気掃除機。
【請求項２】  ブレーキレバーを取付板に回動自在に保持し、その保持部を支点に、作用点側となるブレーキ部は本体下の窪み部に収まるように、一方の力点側となるボタン部は本体外部に突出するように配置すると共に、前記ブレーキレバーのブレーキ部にはコードリールの回転を止める構成を設け、一方、ボタン部にはその下側にブレーキの保持動作を行うバネを、またコードリール取付板側には前記バネを受けるバネ保持部を配置した請求項１記載の電気掃除機。
【請求項３】  ボタン部の内側に外形がバネの内径に一致またはそれ以下になるように略十字形状の凸リブを設けた請求項２記載の電気掃除機。
【請求項４】  凸リブの外径をバネ装着時に同バネが圧接保持されるように前記バネの内径より拡げた請求項３記載の電気掃除機。
【請求項５】  ブレーキレバーが回動に必要な角度以上回動したときに取付板に設けたバネ保持部に当接するように凸リブの長さを設定した請求項３記載の電気掃除機。
【請求項６】  ブレーキレバーの回動中心側の凸リブの外形を他方の外形よりも短く設定した請求項３〜５のいずれか１項に記載の電気掃除機。
【発明の詳細な説明】
【０００１】
【発明の属する技術分野】
本発明は、コードリールを有する電気掃除機に関するものである。
【０００２】
【従来の技術】
従来の電気掃除機を図５、図６を用いて説明する。
【０００３】
図６は、前方に集塵室１７、後方に電動送風機１８を収納する電動送風機室１９とコードリールユニット２０を収納するコードリール室２１とを構成する本体下２２を有する電気掃除機において、本体下２２で形成する集塵室１７はコードリールユニット２０挿入部を避けクランク状に曲げられているか、あるいは図６のように下側を窪ませた形状として窪み部１７ａを構成している。この時、本体下２２のコードリールユニット２０取付部は、コードリールユニット２０が上方あるいは斜め後方に着脱できるスペースが確保された構成である。また、コードリールユニット２０を構成するブレーキレバー２３とブレーキレバー２３を回動規制させるバネ２４がコードリールユニット２０装着時に本体下２２の窪み部１７ａに位置される配置となっている。
【０００４】
上記構成による作用は以下の通りである。
【０００５】
コードリールユニット２０を本体下２２に組み込む際に本体下２２の上方あるいは斜め後ろからコードリールユニット２０の前方を集塵室１７の窪み部１７ａに合わせ装着する構成になっている。
【０００６】
【発明が解決しようとする課題】
上記従来の電気掃除機にあっては、本体の小型化を追求するにあたり、一定の大きさを有するコードリールユニット２０を前方の集塵室１７に突出させる必要があり、集塵室１７が狭くなるという課題があった。
【０００７】
本発明は、上記のような従来の課題を解決しようというものであって、コードリールユニット２０の組み込み方法を規制すると共に、ブレーキレバー２３のバネ２４の位置を集塵室１７側から後方へと変更することによりコードリールユニット２０の前方（集塵室１７側）を小型化することによって、集塵室１７をできるだけ狭くすることなく本体を小型化することを目的としている。
【０００８】
【課題を解決するための手段】
上記目的を達成するために本発明は、集塵室の一部を同集塵室内方に窪ませた本体下と、本体に電源を供給するコードリールユニットを有し、同コードリールユニットの一部が前記本体下の窪みに挿入されるように配置し、前記コードリールユニットは電源コードと電源コードを巻き取るコードリールと、コードリールを保持するコードリール取付板とで構成され、前記コードリール取付板の組み込みにあたり、コードリール取付板の先端を前記本体下の窪みに合わせた状態で、合わせ部を支点にコードリール取付板を回動させながら本体下に組み込めるように本体下とコードリール取付板の形状を形成した構成とすることにより、コードリールユニットの組み込み方法を規制することで、従来組立時に必要であったブレーキレバー上方の空間を集塵室として確保することができるため、集塵室をできるだけ広く確保しつつ本体を小型化することができるものである。
【０００９】
【発明の実施の形態】
本発明の請求項１記載の発明によれば、集塵室の一部を同集塵室内方に窪ませた本体下と、本体に電源を供給するコードリールユニットを有し、同コードリールユニットの一部が前記本体下の窪みに挿入されるように配置し、前記コードリールユニットは電源コードと電源コードを巻き取るコードリールと、コードリールを保持するコードリール取付板とで構成され、前記コードリール取付板の組み込みにあたり、コードリール取付板の先端を前記本体下の窪みに合わせた状態で、合わせ部を支点にコードリール取付板を回動させながら本体下に組み込めるように本体下とコードリール取付板の形状を形成した構成とすることにより、コードリールユニットの組み込み方法を規制することで、従来組立時に必要であったブレーキレバー上方の空間を集塵室として確保することができるため、集塵室をできるだけ広く確保しつつ本体を小型化することができるものである。
【００１０】
本発明の請求項２記載の発明によれば、ブレーキレバーを取付板に回動自在に保持し、その保持部を支点に、作用点側となるブレーキ部は前記本体下の窪み部に収まるように、一方の力点側となるボタン部は本体外部に突出するように配置すると共に、前記ブレーキレバーのブレーキ部には前記コードリールの回転を止める構成を設け、一方、ボタン部にはその下側にはブレーキの保持動作（ＯＮ／ＯＦＦ）を行うバネを、またコードリール取付板側にはバネを受けるバネ保持部を配置した構成とすることにより、従来バネを配置していたコードリールユニットの前方上部のスペースを無くし、集塵室のスペースとして活用することができるものである。
【００１１】
本発明の請求項３記載の発明によれば、ボタン部の内側に外形がバネの内径に一致またはそれ以下になるように略十字形状の凸リブを設けた構成とすることにより、ボタン部に対してバネを常に中央に位置させることができ回動ムラを無くすことができると共に、バネ取付後のバネの抜け止めを図ることができるものである。
【００１２】
本発明の請求項４記載の発明によれば、前記凸リブの外径をバネ装着時に同バネが圧接保持されるように前記バネの内径より拡げた構成とすることにより、組立性を向上させることができるとともに、バネの抜け止めとしての働きを持たせることができる。
【００１３】
本発明の請求項５記載の発明によれば、ブレーキレバーが回動に必要な角度以上回動したときに取付板に設けたバネ保持部に当接するように凸リブの長さを設定した構成とすることにより、ボタン部の押しすぎに対する受け部を作り、押しすぎによる弊害を未然に防止することができるものである。
【００１４】
本発明の請求項６記載の発明によれば、ブレーキレバー回動中心側の凸リブの外形を他方の外形よりも短く設定した構成とすることにより、ブレーキレバー回動時に発生するバネの歪みに対し、短く設定した回動中心側の凸リブとゆがんだバネとの接触を避けることができるため、ブレーキレバーの回動をスムーズにすることができるものである。
【００１５】
【実施例】
（実施例１）
以下、本発明の第１の実施例を、図１を用いて説明する。
【００１６】
前方に塵埃を集塵する集塵室１を、集塵室１後方には空気を吸引するための電動送風機２（図示せず）を取り付けた電動送風機室３と、コードリールユニット４を配するコードリール室５を設けた電気掃除機において、前記集塵室１は本体下６と集塵室蓋７、電動送風機室３とコードリール室５は本体下６と本体上８とでそれぞれ形成されている。前記本体下６で形成される集塵室１はその一部（コードリールユニット４が挿入される部分のみ）が前方（集塵室１の内方）へと窪ませた形状窪み部５ａを成している。
【００１７】
また、コードリールユニット４は、本体に電源を供給するための電源コード９と、電源コード９を巻き取るコードリール１０と、コードリール１０を保持するコードリール取付板１１と、コードリール１０とコードリール取付板１１の間で挟持されコードリール１０を自動で巻き取るためのゼンマイ１２（図示せず）と、コードリール１０の回転を制御するブレーキレバー１３と、ブレーキレバー１３を回動規制させるバネ１４とで構成されている。また、ブレーキレバー１３はコードリール取付板１１に回動自在に保持され、その保持部１３ｃを支点に、作用点となるブレーキ部１３ａと、力点となるボタン部１３ｂで構成されている。前記コードリールユニット４部の動作は、ボタン部１３ｂを押すとブレーキ部１３ａがコードリール１０の外周から離れ、コードリール１０内に配されたゼンマイ１２によりコードリール１０が回転し電源コード９がコードリール１０に巻き取られる。
【００１８】
また、ボタン部を離すとボタン部１３ｂの内側に配されたバネ１４がボタン部１３ｂを押し上げるとともに、ブレーキ部１３ａがコードリール１０の外周に接触しコードリール１０の回転を止めるものである。
【００１９】
さらに、本発明のポイントは、前記本体下６の集塵室１を窪ませると共に、前記コードリール取付板１１の組み込みにあたり、コードリール取付板１１の先端を前記本体下６の窪み部５ａに合わせた状態で、合わせ部を支点にコードリール取付板１１を回動させながら本体下６に組み込めるように本体下６とコードリール取付板１１の形状を形成したことを特徴とするものである。
【００２０】
上記構成による作用は以下の通りである。
【００２１】
コードリールユニット４の組み込みにあたり、コードリール取付板１１の先端を前記本体下６の窪み部５ａに合わせた状態で、合わせ部を支点にコードリール取付板１１を下方へと回動させながら本体下６に組み込む。したがって、従来集塵室１として確保できなかったコードリールユニット４の上方（ここでは、本体下６窪み部５ａの上方）が集塵室１のスペースとして有効に活用することができるため一定の集塵室１を確保した上での本体小型化を実現することができるものである。
【００２２】
（実施例２）
次に本発明の第の２の実施例を、図２を用いて説明する。なお上記実施例と同一構成部品については同一符号を付して、その説明を省略する。
【００２３】
前記コードリールユニット４において、前記ブレーキレバー１３をコードリール取付板１１に回動自在に保持し、その保持部１３ｃを支点に、作用点側となるブレーキ部１３ａは前記本体下６の窪み部５ａに収まるように、一方の力点側となるボタン部１３ｂは本体外部に突出するように配置すると共に、ブレーキレバー１３のブレーキ部１３ａにはコードリール１０の回転を止めるためのゴム材からなるローラー１５を取付、一方、ボタン部１３ｂにはその下側にブレーキの保持動作（ＯＮ／ＯＦＦ）を行うバネ１４を保持する受け部１３ｄを、またコードリール取付板１１側にはバネ１４を受けるバネ保持部１７を設け、ブレーキレバー１３とコードリール取付板１１のバネ保持部１７でバネ１４を挟持する構成とする。
【００２４】
上記構成による作用は、従来ブレーキ部１３ａ上方に配置していたバネ１４をボタン部１３ｂの中に配置することにより、コードリールユニット４の前方上部のスペースを無くし、集塵室１のスペースとして活用することができるものである。
【００２５】
（実施例３）
次に本発明の第３の実施例を、図３を用いて説明する。なお上記実施例と同一構成部品については同一符号を付して、その説明を省略する。
【００２６】
前記ブレーキレバー１３のバネ１４の保持において、ボタン部１３ｂの内側にその外形が基本的にバネ１４の内径に一致またはそれ以下になるように十字形状の凸リブ１６を設け、この凸リブ１６にバネ１４を装着する構成とする。ただし、装着状態において、バネ１４の上方が凸リブ１６に圧入されるように凸リブ１６の上方はバネ１４の内径よりも大きくした形状としている。また、凸リブ１６の高さ（長さ）については、ブレーキレバー１３のボタン部１３ｂを押し切ったときに前記コードリール取付板１１のバネ保持部１７に当接するように設定している。
【００２７】
上記構成によれば、十字形状の凸リブ１６にバネ１４を挿入することで、ボタン部１３ｂに対してバネ１４を常に中央に位置させることができ回動ムラを無くすことができると共に、凸リブ１６の上部を太くすることでバネ１４取付時の仮止めをすることができ、組立性の改善を図ることができる。また、凸リブ１６の長さを規制することで、ボタン部１３ｂの押しすぎによる弊害（バネ１４やローラー１５の外れ、本体内へのボタン部１３ｂの入り込み等）を未然に防止することができるものである。
【００２８】
（実施例４）
次に本発明の第４の実施例を、図４を用いて説明する。なお上記実施例と同一構成部品については同一符号を付して、その説明を省略する。
【００２９】
本実施例は、前記凸リブ１６において、ブレーキレバー１３の回動中心側の凸リブ１６ａの外形を他方の外形よりも短く設定したものである。
【００３０】
上記構成によると、ブレーキレバー１３の回動時に発生するバネ１４の歪みに対し、短く設定した回動中心側の凸リブ１６ａと歪んだバネ１４との接触を避けることができるため、ブレーキレバー１３の回動時の接触抵抗を少なくし、ブレーキレバー１３の動作をスムーズにすることができるものである。
【００３１】
【発明の効果】
本発明の請求項１記載の発明によれば、集塵室の一部を同集塵室内方に窪ませた本体下と、本体に電源を供給するコードリールユニットを有し、同コードリールユニットの一部が前記本体下の窪みに挿入されるように配置し、前記コードリールユニットは電源コードと電源コードを巻き取るコードリールと、コードリールを保持するコードリール取付板とで構成され、前記コードリール取付板の組み込みにあたり、コードリール取付板の先端を前記本体下の窪みに合わせた状態で、合わせ部を支点にコードリール取付板を回動させながら本体下に組み込めるように本体下とコードリール取付板の形状を形成した構成とすることにより、コードリールユニットの組み込み方法を規制することで、従来組立時に必要であったブレーキレバー上方の空間を集塵室として確保することができるため、集塵室をできるだけ広く確保しつつ本体を小型化することができるものである。
【００３２】
本発明の請求項２記載の発明によれば、ブレーキレバーを取付板に回動自在に保持し、その保持部を支点に、作用点側となるブレーキ部は前記本体下の窪み部に収まるように、一方の力点側となるボタン部は本体外部に突出するように配置すると共に、前記ブレーキレバーのブレーキ部には前記コードリールの回転を止める構成を設け、一方、ボタン部にはその下側にはブレーキの保持動作（ＯＮ／ＯＦＦ）を行うバネを、またコードリール取付板側にはバネを受けるバネ保持部を配置した構成とすることにより、従来バネを配置していたコードリールユニットの前方上部のスペースを無くし、集塵室のスペースとして活用することができるものである。
【００３３】
本発明の請求項３記載の発明によれば、ボタン部の内側に外形がバネの内径に一致またはそれ以下になるように略十字形状の凸リブを設けた構成とすることにより、ボタン部に対してバネを常に中央に位置させることができ回動ムラを無くすことができると共に、バネ取付後のバネの抜け止めを図ることができるものである。
【００３４】
本発明の請求項４記載の発明によれば、前記凸リブの外径をバネ装着時に同バネが圧接保持されるように前記バネの内径より拡げた構成とすることにより、組立性を向上させることができるとともに、バネの抜け止めとしての働きを持たせることができる。
【００３５】
本発明の請求項５記載の発明によれば、ブレーキレバーが回動に必要な角度以上回動したときに取付板に設けたバネ保持板に当接するように凸リブの長さを設定した構成とすることにより、ボタン部の押しすぎに対する受け部を作り、押しすぎによる弊害を未然に防止することができるものである。
【００３６】
本発明の請求項６記載の発明によれば、ブレーキレバーの回動中心側の凸リブの外形を他方の外形よりも短く設定した構成とすることにより、ブレーキレバー回動時に発生するバネの歪みに対し、短く設定した回動中心側の凸リブとゆがんだバネとの接触を避けることができるため、ブレーキレバーの回動をスムーズにすることができるものである。
【図面の簡単な説明】
【図１】
本発明の第１の実施例を示す電気掃除機の部分断面図
【図２】
本発明の第２の実施例を示す電気掃除機の部分拡大図
【図３】
（ａ）本発明の第３の実施例を示す電気掃除機の部分拡大図
（ｂ）同バネと凸リブ部の下面図
【図４】
（ａ）本発明の第４の実施例を示す電気掃除機の部分拡大図
（ｂ）同バネと凸リブ部の下面図
【図５】
従来の電気掃除機の部分断面図
【図６】
同電気掃除機の部分断面図
【符号の説明】
１      集塵室
４      コードリールユニット
６      本体下
９      電源コード
１０    コードリール
１１    コードリール取付板
１３    ブレーキレバー
１３ａ  ブレーキ部
１３ｂ  ボタン部
１４    バネ
１５    バネ保持部
１６    凸リブ